(57)【特許請求の範囲】
【請求項１】
通信用の信号が伝送される複数の電線と、
各前記電線に接続される電線接続部と相手側の端子に接続される端子接続部とを有する複数の端子と、
前記複数の端子を収容するハウジングと、
前記複数の電線間に配される導電性のシールド壁部と、を備え、
前記複数の電線が並んだ電線列が複数並列に配置されており、
前記シールド壁部は、前記複数の電線列間に配される第１壁部と、前記第１壁部に立設され、各前記電線列における前記複数の電線間に配される第２壁部とを備え、
前記ハウジングは、前記端子接続部が収容される本体と、前記本体の後方に延び、前記電線接続部を載置する載置部が両面に形成された延出部とを備え、
前記延出部は、後端面に圧入孔が開口しており、
前記シールド壁部は、前記第１壁部の前方に連なり、前記圧入孔に圧入して固定される圧入部を有する通信用コネクタ。
【請求項２】
前記各電線列は、それぞれＵＳＢ３．０の複数の第１電線を備え、前記各電線列について前記第２壁部で仕切られた前記複数の第１電線は、異なる前記電線列における前記複数の第１電線が対角の位置に配置されている請求項１に記載の通信用コネクタ。
【請求項３】
前記シールド壁部は、前記第１壁部に前記第２壁部が立設された複数の仕切り板を連ねて形成されている請求項１又は請求項２に記載の通信用コネクタ。
【請求項４】
通信用の信号が伝送される複数の電線と、
各前記電線に接続される複数の端子と、
前記複数の端子を収容するハウジングと、
前記複数の電線間に配される導電性のシールド壁部と、を備え、
前記複数の電線が並んだ電線列が複数並列に配置されており、
前記シールド壁部は、前記複数の電線列間に配される第１壁部と、前記第１壁部に立設され、各前記電線列における前記複数の電線間に配される第２壁部とを備え、
前記各電線列は、それぞれＵＳＢ３．０の複数の第１電線と前記ＵＳＢ３．０とは異なる電線とを備え、前記各電線列について前記第２壁部で仕切られた前記複数の第１電線は、異なる前記電線列における前記複数の第１電線が対角の位置に配置されている通信用コネクタ。
【請求項５】
通信用の信号が伝送される複数の電線と、
各前記電線に接続される複数の端子と、
前記複数の端子を収容するハウジングと、
前記複数の電線間に配される導電性のシールド壁部と、を備え、
前記複数の電線が並んだ電線列が複数並列に配置されており、
前記シールド壁部は、前記複数の電線列間に配される第１壁部と、前記第１壁部に立設され、各前記電線列における前記複数の電線間に配される第２壁部とを備え、
前記シールド壁部は、前記第１壁部に前記第２壁部が立設された複数の仕切り板を連ねて形成されている通信用コネクタ。
【請求項６】
前記複数の電線は、ＵＳＢ３．０の第１電線と、ＵＳＢ２．０の第２電線と、を備えており、
前記シールド壁部は、前記第１電線と前記第２電線との間に配されている請求項１ないし請求項５のいずれか一項に記載の通信用コネクタ。
【請求項７】
前記複数の電線は、ＵＳＢ３．０の第１電線と、電源に接続された電源線と、を備えており、
前記シールド壁部は、前記第１電線と前記電源線との間に配されている請求項１ないし請求項６のいずれか一項に記載の通信用コネクタ。
【請求項８】
前記複数の電線は、ＵＳＢ３．０の複数の第１電線を備えており、
前記シールド壁部は、前記複数の第１電線間に配されている請求項１ないし請求項７のいずれか一項に記載の通信用コネクタ。
【請求項９】
隣り合う前記第２壁部間の電線を覆うように前記第２壁部間を連結する導電性の連結壁部を備える請求項１ないし請求項８のいずれか一項に記載の通信用コネクタ。
【請求項１０】
前記シールド壁部は、前記ハウジングに圧入して固定されている請求項１ないし請求項９のいずれか一項に記載の通信用コネクタ。
【請求項１１】
前記シールド壁部は、導電性樹脂からなる請求項１ないし請求項１０のいずれか一項に記載の通信用コネクタ。
【請求項１２】
前記ハウジングを覆うシールドケースを備え、
前記シールド壁部は、前記シールドケースに電気的に接続されるケース接続部を備える請求項１ないし請求項１１のいずれか一項に記載の通信用コネクタ。
【請求項１３】
前記ハウジングを覆うシールドケースを備え、
前記シールド壁部は、前記シールドケースに一体に形成されている請求項１ないし請求項１２のいずれか一項に記載の通信用コネクタ。
【請求項１４】
前記ハウジングは、前記シールド壁部を支持する支持部を備えている請求項１３に記載の通信用コネクタ。
【請求項１５】
前記ハウジングは、各前記端子が収容される複数のキャビティを備え、
車両に搭載されるものである請求項１ないし請求項１４のいずれか一項に記載の通信用コネクタ。
【発明の詳細な説明】
【技術分野】
【０００１】
本発明は、通信用コネクタに関する。
【背景技術】
【０００２】
従来、通信用コネクタが知られている。特許文献１には、４つのＵＳＢプラグコネクタを受けることができる電気コネクタが記載されている。この電気コネクタは、ハウジングと、Ｌ字に屈曲された金属からなる電気接点と、外部シールドと、内部シールドとを備えている。電気接点は、各ＵＳＢプラグコネクタに左右に複数並んで固定されている。
【先行技術文献】
【特許文献】
【０００３】
【特許文献１】特表２００８−５０７１１０号公報
【発明の概要】
【発明が解決しようとする課題】
【０００４】
ところで、導電体としての複数のＬ字の電気接点の間は、互いにシールドされていないが、導電体として電線を用いて高速通信を可能とする場合には、電線相互にノイズの影響が生じることが懸念される。
【０００５】
本発明は上記のような事情に基づいて完成されたものであって、電線に生じるノイズの影響を抑制することを目的とする。
【課題を解決するための手段】
【０００６】
本発明の通信用コネクタは、通信用の信号が伝送される複数の電線と、各前記電線に接続される電線接続部と相手側の端子に接続される端子接続部とを有する複数の端子と、前記複数の端子を収容するハウジングと、前記複数の電線間に配される導電性のシールド壁部と、を備え、前記複数の電線が並んだ電線列が複数並列に配置されており、前記シールド壁部は、前記複数の電線列間に配される第１壁部と、前記第１壁部に立設され、各前記電線列における前記複数の電線間に配される第２壁部とを備え、前記ハウジングは、前記端子接続部が収容される本体と、前記本体の後方に延び、前記電線接続部を載置する載置部が両面に形成された延出部とを備え、前記延出部は、後端面に圧入孔が開口しており、前記シールド壁部は、前記第１壁部の前方に連なり、前記圧入孔に圧入して固定される圧入部を有する。
本発明の通信用コネクタは、通信用の信号が伝送される複数の電線と、各前記電線に接続される複数の端子と、前記複数の端子を収容するハウジングと、前記複数の電線間に配される導電性のシールド壁部と、を備え、前記複数の電線が並んだ電線列が複数並列に配置されており、前記シールド壁部は、前記複数の電線列間に配される第１壁部と、前記第１壁部に立設され、各前記電線列における前記複数の電線間に配される第２壁部とを備え、前記各電線列は、それぞれＵＳＢ３．０の複数の第１電線と前記ＵＳＢ３．０とは異なる電線とを備え、前記各電線列について前記第２壁部で仕切られた前記複数の第１電線は、異なる前記電線列における前記複数の第１電線が対角の位置に配置されている。
本発明の通信用コネクタは、通信用の信号が伝送される複数の電線と、各前記電線に接続される複数の端子と、前記複数の端子を収容するハウジングと、前記複数の電線間に配される導電性のシールド壁部と、を備え、前記複数の電線が並んだ電線列が複数並列に配置されており、前記シールド壁部は、前記複数の電線列間に配される第１壁部と、前記第１壁部に立設され、各前記電線列における前記複数の電線間に配される第２壁部とを備え、前記シールド壁部は、前記第１壁部に前記第２壁部が立設された複数の仕切り板を連ねて形成されている。
本構成によれば、導電性のシールド壁部が複数の電線間に配されるため、電線に生じるノイズの影響を抑制することができる。
【０００７】
本発明の実施態様としては以下の態様が好ましい。
・前記複数の電線は、ＵＳＢ３．０の第１電線と、ＵＳＢ２．０の第２電線と、を備えており、前記シールド壁部は、前記第１電線と前記第２電線との間に配されている。
・前記複数の電線は、ＵＳＢ３．０の第１電線と、電源に接続された電源線と、を備えており、前記シールド壁部は、前記第１電線と前記電源線との間に配されている。
【０００８】
・前記複数の電線は、ＵＳＢ３．０の複数の第１電線を備えており、前記シールド壁部は、前記複数の第１電線間に配されている。
・前記複数の電線が並んだ電線列が複数並列に配置されており、前記シールド壁部は、前記複数の電線列間に配されている。
【０００９】
・前記シールド壁部は、前記複数の電線列間に配される第１壁部と、前記第１壁部に立設され、各前記電線列における前記複数の電線間に配される第２壁部とを備える。
【００１０】
・隣り合う前記第２壁部間の電線を覆うように前記第２壁部間を連結する導電性の連結壁部を備える。
【００１１】
・前記各電線列は、それぞれＵＳＢ３．０の複数の第１電線を備え、前記各電線列について前記第２壁部で仕切られた前記複数の第１電線は、異なる前記電線列における前記複数の第１電線が対角の位置に配置されている。
【００１２】
・前記シールド壁部は、前記第１壁部に前記第２壁部が立設された複数の仕切り板を連ねて形成されている。
・前記シールド壁部は、前記ハウジングに圧入して固定されている。
・前記シールド壁部は、導電性樹脂からなる。
【００１３】
・前記ハウジングを覆うシールドケースを備え、前記シールド壁部は、前記シールドケースに電気的に接続されるケース接続部を備える。
・前記ハウジングを覆うシールドケースを備え、前記シールド壁部は、前記シールドケースに一体に形成されている。
・前記ハウジングは、前記シールド壁部を支持する支持部を備えている。
・前記ハウジングは、各前記端子が収容される複数のキャビティを備え、通信用コネクタは車両に搭載されるものである。
【発明の効果】
【００１４】
本発明によれば、電線に生じるノイズの影響を抑制することが可能になる。
【図面の簡単な説明】
【００１５】
【図１】実施形態１のシールド電線の端末部に接続された通信用コネクタを示す斜視図
【図２】シールド電線の端末部に接続された通信用コネクタを示す正面図
【図３】第２シールドケースを外した状態の通信用コネクタを示す斜視図
【図４】第２シールドケースを外した状態の通信用コネクタを示す平面図
【図５】第２シールドケース及びシールド電線を外した状態の通信用コネクタを示す斜視図
【図６】第２シールドケース及びシールド電線を外した状態の通信用コネクタを示す平面図
【図７】図６の状態の圧入孔の高さにおける平断面図
【図８】ハウジングに第１シールドケースが装着された状態を示す斜視図
【図９】図８の状態の圧入孔の高さにおける平断面図
【図１０】シールド壁部を示す正面図
【図１１】仕切り板を示す斜視図
【図１２】仕切り板を示す平面図
【図１３】仕切り板を示す側面図
【図１４】実施形態２のシールド電線の端末部に接続された通信用コネクタを示す縦断面図
【図１５】第２シールドケースを外した状態のシールド電線の端末部に接続された通信用コネクタを示す斜視図
【図１６】第２シールドケースを外した状態のシールド電線の端末部に接続された通信用コネクタを示す平面図
【図１７】第２シールドケース及びシールド電線を外した状態の通信用コネクタを示す斜視図
【図１８】第２シールドケース及びシールド電線を外した状態の通信用コネクタを示す平面図
【図１９】図１８の状態の圧入孔の高さにおける平断面図
【図２０】ハウジングに第１シールドケースが装着された状態を示す斜視図
【図２１】図２０の状態の圧入孔の高さにおける平断面図
【図２２】シールド壁部を示す斜視図
【図２３】シールド壁部を示す平面図
【図２４】シールド壁部を示す正面図
【図２５】シールド壁部を示す側面図
【図２６】実施形態３の第２シールドケースを外した状態のシールド電線の端末部に接続された通信用コネクタを示す斜視図
【図２７】第２シールドケースを外した状態のシールド電線の端末部に接続された通信用コネクタを示す平面図
【図２８】第２シールドケースを外した状態のシールド電線の端末部に接続された通信用コネクタを示す背面図
【図２９】第２シールドケース、シールド電線及び端子を外した状態の通信用コネクタを示す斜視図
【図３０】第２シールドケース、シールド電線及び端子を外した状態の通信用コネクタを示す平面図
【図３１】ハウジングに第１シールドケースが装着された状態を示す斜視図
【図３２】実施形態４の第２シールドケースを外した状態のシールド電線の端末部に接続された通信用コネクタを示す斜視図
【図３３】第２シールドケースを外した状態のシールド電線の端末部に接続された通信用コネクタを示す平面図
【図３４】第２シールドケース及びシールド電線を外した状態の通信用コネクタを示す斜視図
【図３５】第２シールドケース及びシールド電線を外した状態の通信用コネクタを示す平面図
【図３６】図３５の状態の圧入孔の高さにおける平断面図
【図３７】ハウジングに第１シールドケースが装着された状態を示す斜視図
【図３８】図３７の状態の圧入孔の高さにおける平断面図
【図３９】シールド壁部を示す斜視図
【図４０】シールド壁部を示す平面図
【図４１】シールド壁部を示す正面図
【図４２】シールド壁部を示す側面図
【図４３】実施形態５のシールド電線の端末部に接続された通信用コネクタを示す斜視図
【図４４】第２シールドケースを外した状態の通信用コネクタを示す斜視図
【図４５】第２シールドケースを外した状態の通信用コネクタを示す平面図
【図４６】第２シールドケースを外した状態の通信用コネクタを示す側面図
【図４７】第２シールドケース及びシールド電線を外した状態の通信用コネクタを示す斜視図
【図４８】第２シールドケース及びシールド電線を外した状態の通信用コネクタを示す平面図
【図４９】第２シールドケース及びシールド電線を外した状態の通信用コネクタを示す正面図
【図５０】第１シールドケースを示す斜視図
【図５１】第１シールドケースを示す平面図
【図５２】第１シールドケースを示す背面図
【図５３】実施形態６のシールド電線の端末部に接続された通信用コネクタを示す斜視図
【図５４】第２シールドケースを外した状態の通信用コネクタを示す斜視図
【図５５】第２シールドケースを外した状態の通信用コネクタを示す平面図
【図５６】図５５のＡ−Ａ断面図
【図５７】第２シールドケースを外した状態の通信用コネクタを示す側面図
【図５８】第２シールドケース及びシールド電線を外した状態の通信用コネクタを示す斜視図
【図５９】第２シールドケース及びシールド電線を外した状態の通信用コネクタを示す背面図
【図６０】シールド壁部を示す斜視図
【図６１】シールド壁部を示す平面図
【図６２】シールド壁部を示す正面図
【図６３】シールド電線を示す斜視図
【図６４】実施形態７の第２シールドケースを外した状態の通信用コネクタを示す斜視図
【図６５】第２シールドケースを外した状態の通信用コネクタを示す平面図
【図６６】図６５のＢ−Ｂ断面図
【図６７】第２シールドケースを外した状態の通信用コネクタを示す側面図
【図６８】第１壁部から筒状部が取り外された状態を示す斜視図
【図６９】第２シールドケース及びシールド電線を外した状態の通信用コネクタを示す斜視図
【図７０】第２シールドケース及びシールド電線を外した状態の通信用コネクタを示す平面図
【図７１】第２シールドケース及びシールド電線を外した状態の通信用コネクタを示す側面図
【図７２】図７１のＣ−Ｃ断面図
【図７３】第２シールドケース及びシールド電線を外した状態の通信用コネクタを示す背面図
【図７４】端子が収容されたハウジングに第１シールドケースが装着された状態を示す斜視図
【図７５】端子が収容されたハウジングに第１シールドケースが装着された状態を示す背面図
【図７６】第１壁部を示す斜視図
【図７７】一方の筒状部を示す正面図
【図７８】他方の筒状部を示す正面図
【発明を実施するための形態】
【００１６】
＜実施形態１＞
実施形態１について、図１〜図１３を参照して説明する。通信用コネクタ１０は、例えば電気自動車やハイブリット自動車等の車両に搭載され、例えば車両内における車載電装品（ナビ、ＥＴＣ、モニタ等）と外部機器（カメラ等）との間や、車載電装品間の有線の通信経路に配される。以下では、上下方向（Ｙ軸）、左右方向（Ｘ軸）については、図２の方向を基準とし、前後方向（Ｚ軸）については、図４の左方を前方、右方を後方として説明する。
【００１７】
本実施形態の通信用コネクタ１０は、図３に示すように、複数（本実施形態では１０本）の電線１１（電線１１は、２組の第１電線１１Ａ〜１１Ｃからなる），１２（電線１２は、１組の第２電線１２Ａ，１２Ｂからなる），１３，１４を有するシールド電線１７と、各電線１１〜１４の端末部に接続された複数（本実施形態では１０個）の端子２０と、複数の端子２０を収容するハウジング３０と、ハウジング３０の後方に配され、ハウジング３０の後方に延びる複数の電線１１〜１４間をシールドする導電性のシールド壁部４０と、ハウジング３０及び複数の電線１１〜１４を覆うシールドケース５０（図１参照）と、を備えている。
【００１８】
（シールド電線１７）
シールド電線１７は、ＵＳＢ(Universal Serial Bus)３．０規格の通信が可能な電線であって、１０本の電線１１〜１４と、１０本の電線１１〜１４を一括して包囲し、金属細線を編み込んで構成された編組線からなるシールド層（図示しない）と、シールド層の外周を覆い、絶縁性の合成樹脂からなる絶縁被覆１５とを備えている。
【００１９】
（電線１１〜１４）
１０本の電線１１〜１４のうち、電線１１は、２組のＵＳＢ３．０組（シールドとドレイン線付の差動ペア・ケーブル）であり、電線１２は、１組のＵＳＢ２．０組（シールドなしのツイスト・ペア・ケーブル）であり、電線１３は、電源に接続される１本の電源線１３であり、電線１４は、グランドに接続される１本のグランド線１４である。
【００２０】
各電線１１〜１４は、金属線からなる導体部を、絶縁性の合成樹脂からなる絶縁層で被覆したものである。シールド電線１７のシールド層及び絶縁被覆１５の端末よりも前方に延びる１０本の電線１１〜１４の端末部は、絶縁層が剥ぎ取られ、端子２０と接続される導体部が露出している。電線１１〜１４は、先端側に向けて５本ずつ上下に分けられ、上下に５本ずつ横一列に並んで上下の電線列１６Ａ，１６Ｂを構成している。
【００２１】
（端子２０）
端子２０は、図５に示すように、前方側が角筒状の端子接続部２１とされ、端子接続部２１の後方側に電線１１〜１４の導体部に接続される電線接続部２３が一体に形成されている。端子接続部２１には、相手側のオス端子に接続される弾性接触片２２（図１４参照）が設けられている。電線接続部２３は、底板２４と、底板２４の側縁から延びる一対のバレル片２５を有する。電線１１〜１４の導体部は、例えば、底板２４への半田付けや溶接等により、電線接続部２３と電気的に接続される。
【００２２】
（ハウジング３０）
ハウジング３０は、図８に示すように、絶縁性の合成樹脂製であって、各端子２０の端子接続部２１が収容される本体３１と、本体３１の後方に厚み寸法を小さくして延びる延出部３６とを備える。本体３１は、直方体状であって、端子２０が収容されるキャビティ３２が上下２段、左右に５個、間隔を空けて並んで配置されている。
【００２３】
各キャビティ３２は、端子接続部２１の外周形状に応じた矩形状の断面を有し、端子接続部２１の長さに応じて前後方向に延びている。キャビティ３２の前端部には、端子２０の前方への移動を規制する前止まり壁３４（図１４参照）が形成されている。前止まり壁３４は、キャビティ３２の孔径を段差状に縮径することで形成される。キャビティ３２の内壁には、端子接続部２１に係止して端子２０の後方側への抜けを規制する撓み変形可能な抜け規制片が前方側に片持ち状に延びている。
【００２４】
延出部３６は、本体３１の後端における上下方向の中間部から板状に後方に延びており、図８に示すように、各端子２０の電線接続部２３を載置可能に並んだ溝状の複数の載置部３７と、延出部３６の後端面に開口する圧入孔３８Ａ，３８Ｂとを有する。載置部３７は、底面３７Ａと、底面３７Ａの両側縁から起立する溝壁３７Ｂを有し、延出部３６の上面と底面のそれぞれに端子２０の数に応じて左右に並んで形成されている。底面３７Ａは、中間側が低くなるようにわずかに湾曲しているとともに、先端側が前方側に向けて低くなるように傾斜する傾斜面３７Ｃを有する。溝壁３７Ｂは、前方側に向けて底面３７Ａを狭くするように傾斜してキャビティ３２に連なっている。
【００２５】
圧入孔３８Ａ，３８Ｂは、圧入部４４が圧入される深さで延出部３６の後端面に凹設されている。圧入孔３８Ａ，３８Ｂは、わずかに異なる高さに左右一対設けられ、中間部側が上下に重なるように配置されている。
【００２６】
（シールド壁部４０）
シールド壁部４０は、図１０，図１１に示すように、２個の仕切り板４１，４１を連ねて構成されている。２個の仕切り板４１，４１は、同一形状であって、アルミニウム、アルミニウム合金、銅、銅合金等の金属板材に打ち抜き加工及び曲げ加工を施して形成され、左右方向に延びる長方形の板状の第１壁部４２と、第１壁部４２の一方の側縁から起立する第２壁部４３と、第１壁部４２の他方の側縁から第２壁部４３とは反対側に起立するケース接続部４５と、第１壁部４２の前方に面一に連なり圧入孔３８Ａ，３８Ｂに圧入される圧入部４４と、を備えている。
【００２７】
第２壁部４３は、長方形状であって、第１壁部４２の側縁の全長に形成されている。第２壁部４３の高さは、第２シールドケース５７の内壁に当接する高さとされている。ケース接続部４５は、第２シールドケース５７の内壁に弾性接触する撓み片４６を有する。撓み片４６は、後端側を基端として前方側に片持ち状に延びている。圧入部４４は、第１壁部４２のほぼ全幅に形成されており、先端側の両側縁部が傾斜状に切り欠かれて先端側が細くなっている。
【００２８】
２個の仕切り板４１，４１は、表裏を反対にして第２壁部４３を内側としケース接続部４５を外側とする所定の位置で左右に連ねることで、左右に並んだ電線１１〜１４間を第２壁部４３が仕切るシールド壁部４０が構成される。第２壁部４３によって仕切られた左右の領域のうち、広い側に複数の第１電線１１Ａ〜１１Ｃが間隔を空けて配され、狭い側に複数の第２電線１２Ａ，１２Ｂ又は電源線１３とグランド線１４が間隔を空けて配される。上下の電線列１６Ａ，１６Ｂは、各第１電線１１Ａ〜１１Ｃが互いに対角の位置（遠い側の領域）に配置される。なお、第２壁部４３は、各第１電線１１Ａ〜１１Ｃ間や、第２電線１２Ａ，１２Ｂ間や、電源線１３とグランド線１４との間には配されていない（個別の各電線ごとには設けられていない）。
【００２９】
（シールドケース５０）
シールドケース５０は、図１に示すように、ハウジング３０の本体３１を覆う第１シールドケース５１と、第１シールドケース５１の後方に配されて複数の電線１１〜１４を覆う第２シールドケース５７とを備えている。第１シールドケース５１は、アルミニウムやアルミニウム合金等の金属製であって、図３に示すように、ハウジング３０を包囲する角筒状のハウジング包囲部５２と、第２シールドケース５７に接続される連結接続部５４とを備えている。ハウジング包囲部５２の左右の側面部には弾性変形可能な撓み片からなる被係止部５３が設けられている。ハウジング３０の後方側から第１シールドケース５１をハウジング３０に嵌め入れると、被係止部５３は、ハウジング３０の側面を切り欠いて形成された係止部３３（図７参照）に係止する。連結接続部５４は、ハウジング包囲部５２の側面部の後端から後方に板状に延びており、係止片５５を有する。係止片５５は、弾性変形可能な撓み片であり、第２シールドケース５７の内面に接触することで第２シールドケース５７と電気的に接続される。
【００３０】
第２シールドケース５７は、アルミニウムやアルミニウム合金等の金属製であって、図１に示すように、前方側が開口した箱形の電線シールド部５８と、シールド電線１７に外嵌する円筒形状のシールド接続部５９とを備えている。電線シールド部５８は、複数の電線１１〜１４の全体を包囲している。シールド接続部５９は、例えばシールド電線１７の端末部において絶縁被覆１５の外側に折り返したシールド層に接続される。シールド接続部５９とシールド層との固定は例えば溶接や圧着等により行うことができる。
【００３１】
本実施形態によれば、以下の作用、効果を奏する。
本実施形態によれば、導電性のシールド壁部４０が通信用の信号が伝送される複数の電線１１〜１４間に配されるため、複数の電線１１Ａ〜１１Ｃ，１２Ａ，１２Ｂ，１３，１４がノイズの影響を受けることを抑制することができる。
【００３２】
また、複数の電線１１〜１４は、ＵＳＢ３．０の第１電線１１Ａ〜１１Ｃと、ＵＳＢ２．０の第２電線１２Ａ，１２Ｂと、を備えており、シールド壁部４０は、第１電線１１Ａ〜１１Ｃと第２電線１２Ａ，１２Ｂとの間に配されているため、第１電線１１Ａ〜１１Ｃと第２電線１２Ａ，１２Ｂとの間のノイズの影響を抑制することができる。
【００３３】
さらに、複数の電線１１〜１４は、ＵＳＢ３．０の第１電線１１Ａ〜１１Ｃと、電源に接続された電源線１３と、を備えており、シールド壁部４０は、第１電線１１Ａ〜１１Ｃと電源線１３との間に配されているため、電源線１３による第１電線１１Ａ〜１１Ｃのノイズの影響を抑制することができる。
【００３４】
また、複数の電線１１〜１４は、ＵＳＢ３．０の複数の第１電線１１Ａ〜１１Ｃを備えており、シールド壁部４０は、複数の第１電線１１Ａ〜１１Ｃ間に配されているため、複数の第１電線１１Ａ〜１１Ｃ間のノイズの影響を抑制することができる。
【００３５】
さらに、複数の電線１１〜１４が並んだ電線列１６Ａ，１６Ｂが複数並列に配置されており、シールド壁部４０は、複数の電線列１６Ａ，１６Ｂ間に配されているため、電線列１６Ａ，１６Ｂ間のノイズの影響を抑制することができる。
【００３６】
また、シールド壁部４０は、複数の電線列１６Ａ，１６Ｂ間に配される第１壁部４２と、第１壁部４２に立設され、各電線列１６Ａ，１６Ｂにおける複数の電線１１〜１４間に配される第２壁部４３とを備えるため、複数段、複数列の電線１１〜１４間のノイズの影響を抑制することができる。
【００３７】
さらに、各電線列１６Ａ，１６Ｂは、それぞれＵＳＢ３．０の複数の第１電線１１Ａ〜１１Ｃを備え、各電線列１６Ａ，１６Ｂについて第２壁部４３で仕切られた複数の第１電線１１Ａ〜１１Ｃは、異なる電線列１６Ａ，１６Ｂにおける複数の第１電線１１Ａ〜１１Ｃが対角の位置に配置されている。
このようにすれば、異なる電線列１６Ａ，１６Ｂの第１電線１１Ａ〜１１Ｃを対角に配置することで、異なる電線列１６Ａ，１６Ｂの第１電線１１Ａ〜１１Ｃが遠い位置に配されるため、より一層、異なる電線列１６Ａ，１６Ｂの複数の第１電線１１Ａ〜１１Ｃ間のノイズの影響を抑制することができる。
【００３８】
また、シールド壁部４０は、第１壁部４２に第２壁部４３が立設された複数の仕切り板４１，４１を連ねて形成されているため、シールド壁部４０の形成が容易になる。
【００３９】
さらに、シールド壁部４０は、ハウジング３０に圧入して固定されているため、簡素な構成でシールド壁部４０を確実にハウジング３０に固定することができる。
【００４０】
また、ハウジング３０を覆うシールドケース５０を備え、シールド壁部４０は、シールドケース５０に電気的に接続されるケース接続部４５を備えるため、シールド壁部４０をグランドに接続する構成を簡素化することができる。
【００４１】
さらに、ハウジング３０は、各端子２０が収容される複数のキャビティ３２を備えるため、通信用コネクタ１０を車両に搭載しても車両の振動等による不具合を抑制することができる。
【００４２】
＜実施形態２＞
次に、本発明の実施形態２を図１４ないし図２５を参照して説明する。実施形態１と同一の構成については同一の符号を付して説明を省略する。
実施形態１ではシールド壁部４０を２枚の仕切り板４１，４１から形成したが、実施形態２の通信用コネクタは、１枚の金属板材に打ち抜き加工及び曲げ加工を施してシールド壁部７０を形成したものである。
【００４３】
図２０，図２１に示すように、ハウジング６１の厚みを小さくして後方に延びる延出部６２には、各端子２０の電線接続部２３が載置可能に並んだ溝状の載置部３７が延出部６２の上面及び下面に形成されている。延出部６２の後端面には、３個の圧入孔６３Ａ〜６３Ｃが間隔を空けて形成されている。圧入孔６３Ａ〜６３Ｃは、中間側の圧入孔６３Ｂの幅が他の２つの圧入孔６３Ａ，６３Ｃの幅よりも大きくなっている。
【００４４】
シールド壁部７０は、アルミニウム、アルミニウム合金、銅、銅合金等からなり、図２２に示すように、左右方向に延びる第１壁部７１と、圧入孔６３Ａ〜６３Ｃに圧入される３つの圧入部７２Ａ〜７２Ｃと、共に第１壁部７１から起立する複数の第２壁部７３，第３壁部７７及びケース接続部７４とを備えている。第１壁部７１は、ハウジング６１の全幅に亘って形成され、延出部６２の後方に連なる。第２壁部７３は、第１壁部７１の上方及び下方に起立しており、上側の第２壁部７３は、中間部よりも左右方向の一方の側に配され、下側の第２壁部７３は、中間部よりも左右方向の他方の側に間隔を空けて配されている。第２壁部７３は、金属板材を折り返して形成されている。
【００４５】
上側の第２壁部７３と第３壁部７７との間には、２本の第２電線１２Ａ，１２Ｂが挿通され、上側の第２壁部７３の右側の広い領域には、３本の第１電線１１Ａ〜１１Ｃが間隔を空けて挿通される。下側の第２壁部７３と第３壁部７７との間には、電源線１３とグランド線１４が挿通され、第２壁部７３の左側の広い領域には、第１電線１１Ａ〜１１Ｃが互いに間隔を空けて挿通される。第２壁部７３と第３壁部７７の前方には、電線１１〜１４を所定の経路に導く電線ガイド部７６が形成されている。電線ガイド部７６は、第２壁部７３と第３壁部７７の間を拡径する方向に延びている。電線１１〜１４の外周が電線ガイド部７６に支持されることで電線１１〜１４を電線ガイド部７６で保護しつつ案内することができる。
【００４６】
３つの圧入部７２Ａ〜７２Ｃは、中間側の圧入部７２Ｂの幅が他の２つの圧入部７２Ａ，７２Ｃの幅よりも大きくなっている。圧入部７２Ａ〜７２Ｃは、先端部の側縁が傾斜状に切り欠かれて先端部がわずかに細くなっている。圧入部７２Ａ〜７２Ｃが圧入孔６３Ａ〜６３Ｃに圧入されることでシールド壁部７０がハウジング６１に固定される（図１９参照）。
【００４７】
ケース接続部７４は、第１壁部７１の両側縁部に一対設けられ、第１壁部７１に対して互いに反対方向に起立しており、撓み変形可能な弾性接触片７５が後方側を基端として前方側に片持ち状に延びている。
【００４８】
＜実施形態３＞
次に、本発明の実施形態３を図２６ないし図３１を参照して説明する。
実施形態３は、図２６に示すように、端子８１の電線接続部８２は、電線１１〜１４を圧着により接続するものである。上記実施形態と同一の構成については同一の符号を付して説明を省略する。
【００４９】
端子８１の電線接続部８２は、底板の両側縁から起立する一対のワイヤバレル部８３と、一対のインシュレーションバレル部８４とを有する。ワイヤバレル部８３は、電線１１〜１４の端末部に露出した導体部を圧着し、インシュレーションバレル部８４は、電線１１〜１４の絶縁被覆をかしめて保持する。
【００５０】
ハウジング８６の厚みを小さくして後方に延びる延出部８８には、図２９に示すように、上面と底面のそれぞれに電線接続部８２が載置される複数の載置部８７が並んで形成されている。各載置部８７は、電線接続部８２の幅寸法に応じた溝状に形成されており、底面８７Ａと、底面８７Ａの両側縁から起立する溝壁８７Ｂを有し、電線接続部８２が嵌め入れられる。
【００５１】
＜実施形態４＞
次に、本発明の実施形態４を図３２ないし図４２を参照して説明する。
実施形態４の通信用コネクタは、シールド壁部９５を導電性樹脂により形成したものである。上記実施形態と同一の構成については同一の符号を付して説明を省略する。
【００５２】
図３７，図３８に示すように、ハウジング９１の厚み寸法を小さくして後方に延出する延出部９２の後端面には、圧入孔９３がハウジング９１のほぼ全幅に亘って所定の深さで凹設されている。圧入孔９３の上下方向の孔径は、上記実施形態の圧入孔の孔径よりも大きくなっている。
【００５３】
シールド壁部９５は、図３９に示すように、ハウジング９１と幅寸法に応じた長さで左右方向に延びる第１壁部９６と、第１壁部９６に立設され、複数の電線１１〜１４を仕切る第２壁部９７と、圧入孔９３に圧入される圧入部９８と、第２シールドケース５７に接続されるケース接続部９９とを備えている。第２壁部９７は、上下一対設けられており、上方側が左右方向の中間部よりも一方のケース接続部９９側に配され、下方側が左右方向の中間部よりも他方のケース接続部９９側に配されている。
【００５４】
圧入部９８は、第１壁部９６の前方に面一に連なっており、左右の側縁の先端側が傾斜状に切り欠かれている。ケース接続部９９は、第１壁部９６の両側縁部から互いに反対方向に起立している。ケース接続部９９の外面には、第２シールドケース５７の内面と接触する接点部１００が半球状に突出している。
【００５５】
シールド壁部９５を形成する導電性樹脂としては、種々の公知のものを用いることができ、高分子の構造に由来する導電性を有する導電性プラスチックや、非導電性プラスチックに無機導電体を加えることで導電性を有するものを用いてもよい。
実施形態４によれば、シールド壁部９５は、導電性樹脂からなるため、樹脂の特性により形状の加工を容易に行いつつ電線間をシールドすることができる。
【００５６】
＜実施形態５＞
次に、本発明の実施形態５を図４３ないし図５２を参照して説明する。
実施形態５の通信用コネクタ１１０は、ハウジング１１２を覆う第１シールドケース１１９にシールド壁部１２０を一体に形成したものである。以下では上記実施形態と同一の構成については同一の符号を付して説明を省略する。
【００５７】
通信用コネクタ１１０は、図４３，図４４に示すように、シールド電線１７と、各電線１１〜１４の端末部に接続された複数（本実施形態では１０個）の端子１０１と、複数の端子１０１を収容するハウジング１１２と、ハウジング１１２及び複数の電線１１〜１４を覆うシールドケース１１８とを備えている。
【００５８】
端子１０１は、前方側が角筒状の端子接続部２１とされ、端子接続部２１の後方側に電線１１〜１４から露出した導体部に接続される板状の電線接続部１０２が一体に形成されている。電線１１〜１４の導体部は、電線接続部１０２に例えば半田付けや溶接等により接続されている。
【００５９】
（シールドケース１１８）
シールドケース１１８は、ハウジング１１２の本体３１を覆う第１シールドケース１１９と、第１シールドケース１１９の後方に配されて複数の電線１１〜１４を覆う第２シールドケース５７とを備えている。第１シールドケース１１９は、アルミニウム、アルミニウム合金、銅、銅合金等の金属板材に打ち抜き加工及び曲げ加工を施して形成され、図５０に示すように、ハウジング１１２を包囲する角筒状のハウジング包囲部５２と、複数の電線１１〜１４間をシールドする一対のシールド壁部１２０と、ハウジング包囲部５２と各シールド壁部１２０とを連結する板状の連結部１２３とを備えている。
【００６０】
一対のシールド壁部１２０は、左右の連結部１２３に連なっており、共に、左右方向に延びる板状の第１壁部１２１と、第１壁部１２１の一方の端縁から起立する板状の第２壁部１２２とを備えている。各第１壁部１２１は、長方形状であって、互いに平行に配置されている。第２壁部１２２は、この第２壁部１２２に連なる第１壁部１２１側とは反対側に曲がった曲げ部１２２Ａを有する。第２壁部１２２によって仕切られた左右の領域のうち、広い側に複数の第１電線１１Ａ〜１１Ｃが間隔を空けて配され、狭い側に複数の第２電線１２Ａ，１２Ｂ又は電源線１３とグランド線１４が間隔を空けて配される。連結部１２３は、第２シールドケース５７の内側面に面接触可能に形成されている。
【００６１】
（ハウジング１１２）
ハウジング１１２は、絶縁性の合成樹脂製であって、図４７，図４８に示すように、各端子１０１の端子接続部２１が収容される本体３１と、本体３１の後方に本体３１よりも上下方向の厚み寸法を小さくして延びる延出部１１３と、延出部１１３の後方に延出部１１３よりも上下方向の厚み寸法を小さくして延びる板状の支持部１１６とを備える。
【００６２】
延出部１１３は、本体３１の後端における上下方向の中間部から板状に後方に延びており、各端子１０１の電線接続部１０２を載置可能に並んだ複数の溝状の載置部１１４を有する。載置部１１４は、底面と、底面の両側縁から起立する溝壁を有し、隣り合う載置部１１４間は、前後方向に延びる突条１１５とされている。載置部１１４は、延出部１１３の上面と底面のそれぞれに端子１０１の数に応じて左右に並んで形成されている。
【００６３】
支持部１１６は、長方形の板状であって、その厚みは、上下の第１壁部１２１間の間の間隔とほぼ同じとされ、その上面及び下面が載置部１１４の底面に連なっている。支持部１１６の上面及び下面には、前後方向に延びる突条１１７が形成されている。突条１１７は、第１電線１１Ａ〜１１Ｃと第２電線１２Ａ，１２Ｂ又は電源線１３とグランド線１４との間に配される突条１１５の後方に連なっている。突条１１７は、突条１１５と同じ形状である。突条１１７がシールド壁部１２０の曲げ部１２２Ａの先端に当接することで、曲げ部１２２Ａの弾性力が第１シールドケース１１９の連結部１２３を外方に付勢する。これにより、連結部１２３が第２シールドケース５７の側面に押しつけられ、第１シールドケース１１９と第２シールドケース５７とが電気的に接続される。なお、第１シールドケース１１９の連結部１２３に実施形態１のように弾性的に係止する係止片５５を設けて係止片５５を介して第１シールドケース１１９と第２シールドケース５７とが電気的に接続されるようにしてもよい。
【００６４】
通信用コネクタ１１０の組み付けは、例えば、端子１０１を装着したハウジング１１２を第１シールドケース１１９の前方から嵌め入れるとともに、第２シールドケース５７をシールド接続部５９からシールド電線１７に挿通しておき、第１電線１１Ａ〜１１Ｃ等の導体部を端子１０１に溶接した後、第２シールドケース５７を所定の位置に装着することで通信用コネクタ１１０を形成することができる。
【００６５】
実施形態５によれば、通信用コネクタ１１０は、ハウジング１１２を覆う第１シールドケース１１９を備え、シールド壁部１２０は、第１シールドケース１１９に一体に形成されているため、シールドケースとは別体のシールド壁部を設ける場合と比較して部品点数を削減することができる。
また、ハウジング１１２は、シールド壁部１２０を支持する支持部１１６を備えているため、シールド壁部１２０の変形等を抑制してシールド壁部１２０を所定の位置に保持することができる。
【００６６】
＜実施形態６＞
次に、本発明の実施形態６を図５３ないし図６３を参照して説明する。実施形態６は、一対のシールド壁部１４０Ａ，１４０Ｂの筒状部１４３Ａ，１４３Ｂが電線１１〜１４をシールドするものである。以下では上記実施形態と同一の構成については同一の符号を付して説明を省略する。
【００６７】
本実施形態の通信用コネクタ１３０は、図５３，図５４に示すように、シールド電線１７と、複数の端子１０１と、複数の端子１０１を収容するハウジング１３１と、ハウジング１３１の後方に配された導電性の一対のシールド壁部１４０Ａ，１４０Ｂと、ハウジング１３１及び複数の電線１１〜１４を覆うシールドケース１５０とを備えている。
（ハウジング１３１）
ハウジング１３１は、絶縁性の合成樹脂製であって、本体３１と、本体３１の後方に厚み寸法を小さくして延びる延出部１３２とを備える。
【００６８】
（シールド壁部１４０Ａ，１４０Ｂ）
一対のシールド壁部１４０Ａ，１４０Ｂは、複数の電線１１〜１４間をシールドするものであり、同一形状であって、表裏を反対にして対向配置される。このシールド壁部１４０Ａ，１４０Ｂは、アルミニウム、アルミニウム合金、銅、銅合金等の金属板材に打ち抜き加工及び曲げ加工を施して形成され、図５６に示すように、左右方向に延びる第１壁部１４１と、電線１１〜１４の周りに配される筒状の筒状部１４３Ａ，１４３Ｂとを備えている。第１壁部１４１は、長方形の板状であって、筒状部１４３Ａ，１４３Ｂ内に連通する連通溝１４２が形成されている。
【００６９】
筒状部１４３Ａ，１４３Ｂは、挿通される電線の本数に応じた円形状であって、第１壁部１４１から立ち上がる一対の第２壁部１４４と、一対の第２壁部１４４間を連ねる連結壁部１４５とを有する。筒状部１４３Ａは、内側にシールド層１９内の複数の第１電線１１Ａ〜１１Ｃが一括して挿通され（図６３参照）、筒状部１４３Ｂは、内側に第２電線１２Ａ，１２Ｂ又は電源線１３とグランド線１４が個別に挿通される。筒状部１４３Ａは、その内面が第１電線１１Ａ〜１１Ｃを包囲するシールド層１９に接触することでシールド壁部１４０Ａ，１４０Ｂがグランド電位に接続される。図５５に示すように、第１壁部１４１の側方には、ケース接続部１４６が突出している。
【００７０】
（シールドケース１５０）
シールドケース１５０は、図５３に示すように、ハウジング１３１の本体３１を覆う第１シールドケース１５１と、第１シールドケース１５１の後方に配されて複数の電線１１〜１４を覆う第２シールドケース１５４とを備えている。第１シールドケース１５１は、アルミニウムやアルミニウム合金等の金属製であって、図５４に示すように、ハウジング包囲部５２と、第２シールドケース１５４に接続される連結接続部１５２とを備えている。連結接続部１５２は、図５８に示すように、ハウジング包囲部５２の側面部の後端から後方に板状に延びており、上下に切り欠かれた係止凹部１５３を有する。ケース接続部１４６が係止凹部１５３に係止されることでシールドケース１５０とシールド壁部１４０Ａ，１４０Ｂとが電気的に接続される。
【００７１】
第２シールドケース１５４は、アルミニウムやアルミニウム合金等の金属製であって、図５３に示すように、前方側が開口した箱形の電線シールド部１５５と、シールド電線１７に外嵌する円筒形状のシールド接続部５９とを備えている。電線シールド部１５５は、シールド壁部１４０Ａ，１４０Ｂの長さに応じて前後方向にやや長尺の形状とされている。
【００７２】
実施形態６によれば、隣り合う第２壁部１４４間の電線１１〜１４を覆うように第２壁部１４４間を連結する導電性の連結壁部１４５を備えるため、第２壁部１４４間の電線１１〜１４の外側を連結壁部１４５でシールドすることができる。
【００７３】
＜実施形態７＞
次に、本発明の実施形態７を図６４ないし図７８を参照して説明する。実施形態７は、第１壁部１７１と筒状部１７３Ａ，１７３Ｂとが別体で設けられているものである。以下では上記実施形態と同一の構成については同一の符号を付して説明を省略する。
【００７４】
本実施形態の通信用コネクタは、図６４に示すように、シールド電線１７と、複数の端子１０１と、複数の端子１０１を収容するハウジング１６１と、ハウジング１６１の後方に配された導電性のシールド壁部１７０と、ハウジング１６１の本体３１を覆う第１シールドケース１８１とを備えている。第１シールドケース１８１は、アルミニウムやアルミニウム合金等の金属製であって、ハウジング包囲部５２と、後方に板状に延びるシールド延出部１８２とを備えており、第１シールドケース１８１の後方は、第２シールドケース１５４が装着される。
【００７５】
（ハウジング１６１）
ハウジング１６１は、絶縁性の合成樹脂製であって、本体３１と、本体３１の後方に厚み寸法を小さくして延びる延出部１６２とを備える。図７４に示すように、延出部１６２の後端面には、左右一対の圧入孔１６３が形成されている。
【００７６】
（シールド壁部１７０）
シールド壁部１７０は、アルミニウム、アルミニウム合金、銅、銅合金等の金属板材に打ち抜き加工及び曲げ加工を施して形成され、図６４，図６６に示すように、左右方向に延びる板状の第１壁部１７１と、第１電線１１Ａ〜１１Ｃを包囲する筒状の筒状部１７３Ａ，１７３Ｂとを備えている。第１壁部１７１には、前後方向に延びる溝状の係止孔１７１Ａが貫通している。第１壁部１７１の前方には、図７２に示すように、一対の圧入孔１６３に圧入される左右一対の圧入部１７２が面一に延びている。
【００７７】
筒状部１７３Ａ，１７３Ｂは、図６６，図７７，図７８に示すように、第１壁部１７１とは別体で構成され、第１壁部１７１から立ち上がる一対の第２壁部１７４と、一対の第２壁部１７４間を連ねる連結壁部１７５と、第１壁部１７１に係止する係止爪部１７６とを有する。筒状部１７３Ａは、左右の第２壁部１７４のそれぞれに係止爪部１７６が形成されるのに対して、筒状部１７３Ｂは、一方の第２壁部１７４に係止爪部１７６が形成され、他方の第２壁部１７４には係止孔１７１Ａ（貫通孔）に挿通される挿通部１７７が形成されている。挿通部１７７は、第２壁部１７４から直線状に延びている。筒状部１７３Ａのうち、挿通部１７７が挿通される係止孔１７１Ａの位置に形成された第２壁部１７４の内面は、挿通部１７７の内面に面接触で当接している。
【００７８】
第２壁部１７４は連結壁部１７５に対して弾性変形可能となっており、第２壁部１７４を内側に弾性変形させて、係止爪部１７６（及び挿通部１７７）を係止孔１７１Ａに挿入する。そして、第２壁部１７４が復元変形することで、係止爪部１７６が係止孔１７１Ａの孔縁に係止され、第１壁部１７１に対して筒状部１７３Ａ，１７３Ｂの位置が固定される。
【００７９】
筒状部１７３Ａ，１７３Ｂには、シールド層１９で一括して包囲された第１電線１１Ａ〜１１Ｃが間隔を空けて挿通される。なお、複数の第２電線１２Ａ，１２Ｂ，電源線１３，グランド線１４は、筒状部１７３Ａ，１７３Ｂの外側の第１壁部１７１上に間隔を空けて配される。
【００８０】
実施形態７によれば、隣り合う複数の第２壁部１７４間の電線１１を覆うように第２壁部１７４間を連結する導電性の連結壁部１７５を備えるため、第２壁部１７４間の電線１１の外側を連結壁部１７５でシールドすることができる。
【００８１】
＜他の実施形態＞
本発明は上記記述及び図面によって説明した実施形態に限定されるものではなく、例えば次のような実施形態も本発明の技術的範囲に含まれる。
【００８２】
（１）シールド壁部４０，７０，９５，１２０は、第１壁部４２，７１，９６，１２１と第２壁部４３，７３，９７，１２２とを備えたが、参考例として、第１壁部４２，７１，９６，１２１と第２壁部４３，７３，９７，１２２の一方のみを備えるようにしてもよい。
【００８３】
（２）異なる電線列１６Ａ，１６Ｂの第１電線１１は、対角に配置されたが、対角でなくてもよい。
【００８４】
（３）電線１１〜１４の本数は、上記した本数に限られない。また、シールド壁部４０，７０，９５，１２０が電線１１〜１４を仕切る箇所は、電線の本数や電線の種類等に応じて任意に設定することができる。
【符号の説明】
【００８５】
１０，１１０，１３０：  通信用コネクタ
１１Ａ〜１１Ｃ（１１）：  第１電線
１２Ａ，１２Ｂ（１２）：  第２電線
１３：  電源線
１４：  グランド線
１６Ａ，１６Ｂ：  電線列
１７：  シールド電線
２０，８１，１０１：  端子
３０，６１，８６，９１，１１２，１３１，１６１：  ハウジング
３２：  キャビティ
３６，６２，８８，９２，１１３，１３２，１６２：  延出部
３７，８７，１１４：  載置部
３８Ａ，３８Ｂ，６３Ａ〜６３Ｃ，９３，１６３：  圧入孔
４０，７０，９５，１２０，１４０，１７０：  シールド壁部
４１，４１：  ２個の仕切り板
４２，７１，９６，１２１，１４１，１７１：  第１壁部
４３，７３，９７，１２２，１４４，１７４：  第２壁部
４４，７２Ａ〜７２Ｃ，９８，１７２：  圧入部
４５，７４，９９，１４６：  ケース接続部
５０，１１８，１５０，１８０：  シールドケース
１１６：  支持部
１４５，１７５：連結壁部
【図１】
0006332087.tif 000002
【図２】
0006332087.tif 000003
【図３】
0006332087.tif 000004
【図４】
0006332087.tif 000005
【図５】
0006332087.tif 000006
【図６】
0006332087.tif 000007
【図７】
0006332087.tif 000008
【図８】
0006332087.tif 000009
【図９】
0006332087.tif 000010
【図１０】
0006332087.tif 000011
【図１１】
0006332087.tif 000012
【図１２】
0006332087.tif 000013
【図１３】
0006332087.tif 000014
【図１４】
0006332087.tif 000015
【図１５】
0006332087.tif 000016
【図１６】
0006332087.tif 000017
【図１７】
0006332087.tif 000018
【図１８】
0006332087.tif 000019
【図１９】
0006332087.tif 000020
【図２０】
0006332087.tif 000021
【図２１】
0006332087.tif 000022
【図２２】
0006332087.tif 000023
【図２３】
0006332087.tif 000024
【図２４】
0006332087.tif 000025
【図２５】
0006332087.tif 000026
【図２６】
0006332087.tif 000027
【図２７】
0006332087.tif 000028
【図２８】
0006332087.tif 000029
【図２９】
0006332087.tif 000030
【図３０】
0006332087.tif 000031
【図３１】
0006332087.tif 000032
【図３２】
0006332087.tif 000033
【図３３】
0006332087.tif 000034
【図３４】
0006332087.tif 000035
【図３５】
0006332087.tif 000036
【図３６】
0006332087.tif 000037
【図３７】
0006332087.tif 000038
【図３８】
0006332087.tif 000039
【図３９】
0006332087.tif 000040
【図４０】
0006332087.tif 000041
【図４１】
0006332087.tif 000042
【図４２】
0006332087.tif 000043
【図４３】
0006332087.tif 000044
【図４４】
0006332087.tif 000045
【図４５】
0006332087.tif 000046
【図４６】
0006332087.tif 000047
【図４７】
0006332087.tif 000048
【図４８】
0006332087.tif 000049
【図４９】
0006332087.tif 000050
【図５０】
0006332087.tif 000051
【図５１】
0006332087.tif 000052
【図５２】
0006332087.tif 000053
【図５３】
0006332087.tif 000054
【図５４】
0006332087.tif 000055
【図５５】
0006332087.tif 000056
【図５６】
0006332087.tif 000057
【図５７】
0006332087.tif 000058
【図５８】
0006332087.tif 000059
【図５９】
0006332087.tif 000060
【図６０】
0006332087.tif 000061
【図６１】
0006332087.tif 000062
【図６２】
0006332087.tif 000063
【図６３】
0006332087.tif 000064
【図６４】
0006332087.tif 000065
【図６５】
0006332087.tif 000066
【図６６】
0006332087.tif 000067
【図６７】
0006332087.tif 000068
【図６８】
0006332087.tif 000069
【図６９】
0006332087.tif 000070
【図７０】
0006332087.tif 000071
【図７１】
0006332087.tif 000072
【図７２】
0006332087.tif 000073
【図７３】
0006332087.tif 000074
【図７４】
0006332087.tif 000075
【図７５】
0006332087.tif 000076
【図７６】
0006332087.tif 000077
【図７７】
0006332087.tif 000078
【図７８】
0006332087.tif 000079